(57)【要約】【課題】人工爪の付着道具及びそのセット、その製造方法を提供する。【解決手段】一側に連結部が形成された人工爪を含み、人工爪と貼り付かないように人工爪の外側に補助道具が形成され、人工爪と補助道具とが直接結合されるか、補助道具の一側に形成された結合部と人工爪の連結部とが結合されて、人工爪が補助道具に挿入される人工爪の付着道具及びそのセット、その製造方法。【選択図】図３
2010227529.tif 000002
【特許請求の範囲】
【請求項１】
一側に連結部が形成された人工爪を含み、
前記人工爪の外側に人工爪と貼り付かない補助道具が備えられ、
前記補助道具の一側に形成された結合部と人工爪の連結部とが結合されて、前記補助道具が、前記人工爪を取り囲むことを特徴とする人工爪の付着道具及びそのセット。
【請求項２】
突起が形成された人工爪を含み、
前記人工爪の外側に人工爪と貼り付かない補助道具が備えられ、
前記補助道具に形成された挿入溝と前記突起とが結合されて、前記補助道具が、前記人工爪を取り囲むことを特徴とする人工爪の付着道具及びそのセット。
【請求項３】
前記補助道具は、
内側にストッパーが備えられることを特徴とする請求項１に記載の人工爪の付着道具及びそのセット。
【請求項４】
前記人工爪は、一側と他側とが同一な方向性を有する円弧状であり、
前記補助道具は、前記人工爪と同一な形状を有することを特徴とする請求項１または２に記載の人工爪の付着道具及びそのセット。
【請求項５】
前記補助道具は、
透明であるか不透明であることを特徴とする請求項１または２に記載の人工爪の付着道具及びそのセット。
【請求項６】
前記補助道具は、
ポリエチレン（Ｐｏｌｙｅｔｈｙｌｅｎｅ）、ポリプロピレン（Ｐｏｌｙｐｒｏｐｙｌｅｎｅ）、ポリウレタン（Ｐｏｌｙｕｒｅｔｈａｎｅ）、ポリアミド（Ｐｏｌｙａｍｉｄｅ）及びＰＯＭ（Ｐｏｌｙａｃｅｔａｌ、Ｐｏｌｙｏｘｙｍｅｔｈｌｙｌｅｎｅ）からなる群から選択された１種からなることを特徴とする請求項１または２に記載の人工爪の付着道具及びそのセット。
【請求項７】
結合部が形成される補助道具及び連結部が形成される人工爪を射出する段階及び前記補助道具が人工爪を取り囲むように、前記補助道具の取っ手と前記人工爪の結合部とを結合する段階を含むことを特徴とする人工爪の付着道具及びそのセットの製造方法。
【請求項８】
結合部が形成される補助道具及び前記補助道具が、人工爪を取り囲む形態で連結部が形成される人工爪を同時に射出する段階を含むことを特徴とする人工爪の付着道具及びそのセットの製造方法。
【発明の詳細な説明】
【技術分野】
【０００１】
本発明は、人工爪を付着時に必要な補助道具及びそのセットに係り、より詳細には、弱い衝撃にも容易に損傷される人工爪を保護し、付着時に側面が浮き上がる現象を解決すると同時に、付着を容易にし、人工爪及びグルーと貼り付かない材質からなる補助道具を含み、円弧状に形成された付着道具及びそのセット、その製造方法に関する。
【背景技術】
【０００２】
ネイルアートを大きく二つに分けて見れば、マニキュアを用いて天然爪に文様や色彩を描くか塗布する方式があり、人工爪を天然爪上に付着する方式がある。
【０００３】
人工爪は、一般的に指及び／または足指の美容的外観を向上させるために使われ、抜けるか損傷された天然爪を取り替えるためにも使われている。典型的に、人工爪は、天然爪があまり弱くて容易に折れる場合、所望の指爪の長さ及び／または形状を得るためにも使われる。
【０００４】
最近には、現代美容産業の発達につれて人工爪に対する関心が高まりつつあり、元気で端正な指爪は、現代女性の女らしさ及び美しさを倍加させる必須美容要素として認識されている。
【０００５】
人工爪は、現代技術の発展につれてさらにその厚さが薄くなっており、このような薄い指爪は、着用者の不便さをなくすだけではなく、天然爪を保護する役割まで並行されている。
【０００６】
このような薄い指爪は、生産しながら多くの工程を経るようになり、包装完了後、運搬する間に、図１に示されたように、弱い衝撃にも容易に折れるか潰れるだけではなく、容易に割れるか掻かれるなどの損傷があり得る。
【０００７】
また、人工爪は、ユーザの指爪に貼り付ける時、本人あるいは専門施術者が道具使用なしに直接貼り付けるので、実際指の指紋や他の異物が人工爪に付いて汚れるか美観上良くない。また、薄い人工爪１２０を付着する時には、図２に示されたように、人工爪１２０の側面が浮き上がる現象が起きるので、人工爪の付着寿命が短くなり、美観上にも良くない。
【発明の概要】
【発明が解決しようとする課題】
【０００８】
本発明は、前述した問題を解決するために案出されたものであって、弱い衝撃にも割れやすい薄い人工爪の原型を保存することができ、容易にユーザの指爪に人工爪を貼り付けることができ、薄い人工爪の付着時に浮き上がることを防止する付着道具及びそのセットを提供することに目的がある。
【０００９】
また、前記付着道具及びそのセットを製造する方法を提供することに他の目的がある。
【課題を解決するための手段】
【００１０】
前述した目的を果たすための本発明の付着道具及びそのセットは、一側に連結部が形成された人工爪を含み、前記人工爪の外側に前記人工爪と貼り付かない補助道具が備えられ、前記補助道具の一側に形成された結合部と人工爪の連結部とが結合されて、前記補助道具が、前記人工爪を取り囲む人工爪の付着道具及びそのセットを提供する。
【００１１】
また、突起が形成された人工爪を含み、前記人工爪の外側に前記人工爪と貼り付かない補助道具が備えられ、前記補助道具に形成された挿入溝と前記突起とが結合されて、補助道具が、人工爪を取り囲む人工爪の付着道具及びそのセットを提供する。
【００１２】
また、本発明は、結合部が形成される補助道具及び結合部が形成される人工爪を射出する段階及び前記補助道具が人工爪を取り囲むように、前記補助道具の結合部と人工爪の結合部とを結合する段階を含んで製造されるか、前記補助道具が、人工爪を取り囲む形態で同時に射出されて、結合部が形成される人工爪を射出する段階を含む人工爪の付着道具及びそのセットを提供する。
【発明の効果】
【００１３】
本発明の付着道具及びそのセットの製造方法によれば、次のような効果がある。
【００１４】
本発明は、薄い人工爪の原型を保存することができる補助道具を形成して、運送中や衝撃にも人工爪が損傷されない。
【００１５】
また、補助道具が透明であるか若干不透明な材質で形成されて、人工爪のサイズ、形状、色相及び保存状態などを肉眼で識別することができる。
【００１６】
また、人工爪は、サイズ別に製造が可能であり、サイズによってこれを表示して、ユーザの指爪サイズに合う人工爪を容易に選択することができる。
【００１７】
また、ユーザの指爪に人工爪を付着時に補助道具の側面が締められる力によって、ユーザの指爪側面の人工爪が浮き上がる現象を防止することができる。
【００１８】
従来には、グルーが塗布された人工爪を道具なしに施術者がユーザの指爪に付着したために、人工爪に施術者の指紋など異物が付く場合が多かったが、本発明の付着道具及びそのセットを利用すれば、異物が付かないながらもグルーが塗布された人工爪をユーザの指爪に容易に貼り付けることができる。
【００１９】
また、指爪の端にのみ付着する人工爪の場合には、指爪の先端を合わせにくいために、ストッパーを追加してユーザの指爪の先端を容易に把握することができる。
【図面の簡単な説明】
【００２０】
【図１】本発明の補助道具を使わずに運搬した人工爪の斜視図である。
【図２】本発明の補助道具を使わずに人工爪をユーザの指爪に付着時の斜視図である。
【図３】本発明の望ましい実施形態による付着道具及びそのセットの分解斜視図である。
【図４】本発明の望ましい実施形態による付着道具及びそのセットの斜視図である。
【図５】本発明の望ましい実施形態による付着道具及びそのセットのＡ−Ａ断面図である。
【図６Ａ】本発明の他の実施形態による付着道具及びそのセットの分解斜視図である。
【図６Ｂ】本発明のまた他の実施形態による付着道具及びそのセットの分解斜視図である。
【図７】本発明の望ましい実施形態による付着道具及びそのセットの平面図である。
【発明を実施するための形態】
【００２１】
以下、本発明の望ましい一実施形態を添付図面を参照して詳しく説明すれば、次の通りである。
【００２２】
参考的に、以下で説明される本発明の構成のうち、従来の技術と同一の構成については、前述した従来の技術を参照し、別途の詳細な説明は省略する。
【００２３】
図３は、本発明の望ましい実施形態による付着道具及びそのセットの分解斜視図であり、図４は、図３の付着道具及びそのセットの斜視図であり、図５は、図４の付着道具及びそのセットのＡ−Ａ断面図である。また、図６Ａは、本発明の他の実施形態による付着道具及びそのセットの分解斜視図であり、図６Ｂは、本発明のまた他の実施形態による付着道具及びそのセットの分解斜視図である。
【００２４】
図３に示されたように、本実施形態の付着道具及びそのセット１００は、補助道具１１０、結合部１１１、人工爪１２０及び連結部１２１で構成される。また、補助道具１１０の前面に人工爪１２０を保護するために、保護膜１１２がさらに備えられうる。
【００２５】
図４に示されたように、前記補助道具１１０は、薄い厚さを有する人工爪１２０を保護するために、人工爪１２０と貼り付かないように人工爪１２０の外面に備えられて人工爪１２０を取り囲む。したがって、補助道具１１０が人工爪１２０の保護膜の役割をするので、人工爪１２０の原型が損傷されないように運搬が可能である。この際、人工爪１２０は、本技術分野で使われる通常の人工爪をいずれも使うことができ、具体的な例としては、フルカバーネイル、チップネイルなどがある。
【００２６】
ここで、貼り付かないということは、図５に示されたように、補助道具１１０と人工爪１２０とが互いに密着されているが結合されてはないことであって、互いに分離された状態を意味する。また、補助道具１１０が、人工爪１２０を取り囲むということは、補助道具１１０が、人工爪１２０よりさらに大きいサイズで人工爪１２０の外面に形成して、人工爪１２０が損傷されないように保護することを意味する。
【００２７】
付着道具及びそのセット１００の前記補助道具１１０は、一側に結合部１１１を備え、人工爪は一側に連結部１２１を備えることができる。この際、連結部１２１の形状は、特別に限定されず、人工爪１２０と連結されて、結合部１１１と結合されることができれば良いが、望ましくは棒状である。
【００２８】
前記結合部１１１は、連結部１２１と結合されるように形成されたものであって、図３に示されたように、連結部１２１が挟まれるように溝が備えられるか、図６Ａに示されたように、連結部１２１に形成された突起１２３が挟まれるように挿入溝１１４が備えられる。
【００２９】
また、付着道具及びそのセット１００は、図６Ｂに示されたように、結合部１１１及び連結部１２１を備えず、人工爪１２０の先端に突起１２３を形成し、これと対応するように補助道具１１０に挿入溝１１４を形成して挟むことで、人工爪１２０と補助道具１１０とを結合させることができる。
【００３０】
また、ユーザの指爪の端にのみ貼り付けるチップネイルまたはラップネイルが適用された付着道具及びそのセット１００は、指爪の先端を把握しにくいので、突起形態のストッパー１１３（ｓｔｏｐｐｅｒ）を備えて指爪の先端を容易に把握させる。この際、ストッパー１１３は、補助道具１１０と結合部１１１とが連結される部分の補助道具１１０側に備えられる。ストッパー１１３は、補助道具の外側ではない人工爪１２０が備えられる内側に形成される。
【００３１】
補助道具１１０は、ポリエチレン（Ｐｏｌｙｅｔｈｙｌｅｎｅ）、ポリプロピレン（Ｐｏｌｙｐｒｏｐｙｌｅｎｅ）、ポリウレタン（Ｐｏｌｙｕｒｅｔｈａｎｅ）、ポリアミド（Ｐｏｌｙａｍｉｄｅ）及びＰＯＭ（Ｐｏｌｙａｃｅｔａｌ、Ｐｏｌｙｏｘｙｍｅｔｈｌｙｌｅｎｅ）のうちから選択された何れか一つからなることが望ましいが、人工爪１２０に塗布されるグルーと貼り付かないながらも二重射出時に人工爪と化学的に結合しない材質であれば、如何なるものでも含む。この際、人工爪１２０の材質は、本技術分野で使われる通常のものをいずれも使うことができるが、望ましくは、ＡＢＳ（Ａｃｒｙｌｏｎｉｔｒｉｌｅ  Ｂｕｔａｄｉｅｎｅ  Ｓｔｙｒｅｎｅ）である。
【００３２】
また、補助道具１１０は、透明であるか若干不透明に形成されて、人工爪１２０のサイズ、形状、色相及び保存状態などを肉眼で識別することができる。
【００３３】
補助道具１１０は、結合部１１１が形成された一側及び前記一側の反対方向である他側が上側に凸状に同一な方向性を有する円弧状からなる。
【００３４】
また、人工爪１２０も、連結部１２１が形成された一側と前記一側の反対方向である他側とが上側に凸状に同一な方向性を有する円弧状からなり、結合部１１１も補助道具１１０のような上側に凸状に同一な方向性を有する円弧状であるか、平らな形状であり得る。
【００３５】
補助道具１１０は、円弧状の両側が一定の厚さを有するので、補助道具１１０に力を加える時、均一に力が加えられ、特に、側面に締められる力が強く加えられるので、容易に人工爪１２０をユーザの指爪に貼り付けることができ、ユーザの指爪側面に人工爪１２０が浮き上がる現象を防止する。
【００３６】
付着道具及びそのセット１００は、補助道具１１０と人工爪１２０とが貼り付かないように形成されるによって、前記補助道具結合部１１１と人工爪の連結部１２１とを結合させ、補助道具１１０が、人工爪１２０を取り囲みながら補助道具１１０から人工爪１２０が離脱されることを防止する。
【００３７】
このような付着道具及びそのセット１００を用いて人工爪１２０をユーザの指爪に付着して補助道具１１０を除去する時は、補助道具１１０の内面に備えられる人工爪１２０をユーザの指爪に付着した後、人工爪１２０と連結部１２１とを連結する部分をハサミや爪切りなどで切って分離するか、手で反れて強制に引き離せば、人工爪１２０と補助道具１１０とが容易に分離される。
【００３８】
また、連結部１２１が備えられず、人工爪１２０と補助道具１１０とが直接結合された付着道具及びそのセット１００を用いて人工爪１２０をユーザの指爪に付着して補助道具１１０を除去する時は、補助道具１１０の内面に備えられる人工爪１２０をユーザの指爪に付着した後、突起１２３の部分をハサミや爪切りなどで切り取れば、ユーザの指爪に人工爪１２０を貼り付けることができる。
【００３９】
図７は、本発明の望ましい実施形態による付着道具及びそのセットの平面図である。
【００４０】
図７に示されたように、本発明の付着道具及びそのセット１００の形状は、特別に限定されるものではなく、補助道具１１０が人工爪１２０を取り囲む形態であれば良いが、人工爪の種類または結合部１１１によって少しずつ変形されうる。
【００４１】
図７ａ（図７ｄ）、図７ｂ（図７ｅ）及び図７ｃ（図７ｆ）は、順にフルカバーネイル、長いチップネイル、短いチップネイルが使われた付着道具及びそのセット１００であって、フルカバーネイルが使われる付着道具及びそのセット１００は、保護膜１１２が使われなくても良く、チップネイルのように指爪の先端にのみ使われる付着道具及びそのセット１００は、ストッパー１１３が備えられて、ユーザの指爪の先端を容易に把握するように助けることができる。
【００４２】
また、人工爪１２０の一側に備えられた連結部１２１は、図７ａ、図７ｂ、図７ｃのように棒状であり得る。
【００４３】
また、補助道具１１０の形状は、図７ａ、図７ｂ、図７ｃのように部分的な形状でもあり、図７ｄ、図７ｅ、図７ｆのように全体の形状でもあり、基本的にその形状に制限はない。
【００４４】
また、人工爪１２０は、製造時にサイズ別に製造することができるので、サイズ表示部１２２を結合部１１１あるいは連結部１２１に追加して容易にユーザのサイズに合う人工爪１２０を選ぶようにする。
【００４５】
以下、前述した構成を有する付着道具及びそのセットの製造方法を説明する。
【００４６】
本実施形態の付着道具及びそのセット１００の製造方法は、一重射出方法と二重射出方法とがある。一重射出方法は、補助道具１１０と人工爪１２０とを別途に射出した後、追って結合するものであって、一側に結合部１１１が形成される透明であるか不透明な補助道具１１０を射出する段階、一側に連結部１２１が形成される人工爪１２０を射出する段階及び前記補助道具１１０が人工爪１２０を取り囲むように、前記結合部１１１と人工爪の連結部１２１とを結合する段階を含む。
【００４７】
また、二重射出方法は、補助道具１１０と人工爪１２０とを同時に射出するものであって、結合部１１１が形成される透明であるか不透明な補助道具１１０及び前記補助道具１１０が人工爪１２０を取り囲む形態で連結部１２１が形成される人工爪１２０を同時に射出する段階を含む。
【００４８】
この際、補助道具の結合部１１１と人工爪の連結部１２１は、結合された状態ではないが、これを物理的に結合させることができる。具体的に、例えば、図３に示されたように、連結部１２１の形状によって溝が形成された結合部１１１に連結部１２１を嵌合させるか、図６Ａに示されたように、連結部１２１に形成された突起１２３と対応するように結合部１１１に挿入溝１１４を形成して、連結部１２１と結合部１１１とを結合させることができる。
【００４９】
また、図６Ｂに示されたように、人工爪１２０の先端に突起１２３を形成し、これに対応するように補助道具１１０に挿入溝１１４を形成して、人工爪１２０と補助道具１１０とを直接結合させることができる。
【００５０】
したがって、補助道具１１０と人工爪１２０は、互いに貼り付かない材質を使って互いに分離されているにも結合部１１１と連結部１２１または補助道具１１０と人工爪１２０とが直接結合されることによって、付着道具及びそのセット１１０の移動時に補助道具１１０から人工爪１２０が離脱されることを防止する。
【００５１】
人工爪１２０と補助道具１１０とを連結させるためには、前記記載の構造にのみ限定されるものではなく、補助道具１１０から人工爪１２０が離脱されない構造であれば良い。
【００５２】
以上、本発明の望ましい実施形態を参照して説明したが、当業者は、下記の特許請求の範囲に記載の本発明の思想及び領域から外れない範囲内で本発明を多様に修正または変形して実施することができる。
【産業上の利用可能性】
【００５３】
本発明による人工爪の付着道具及びそのセット及び付着道具及びそのセットの製造方法は、すべての指爪に使用可能であり、特に、指爪の端部分に容易に貼り付ける人工爪に適する。
【符号の説明】
【００５４】
１００  付着道具及びそのセット
１１０  補助道具
１１１  結合部
１１２  保護膜
１１３  ストッパー
１１４  突起
１２０  人工爪
１２１  連結部
１２２  サイズ表示部
１２３  挿入溝
【図１】
2010227529.tif 000003
【図２】
2010227529.tif 000004
【図３】
2010227529.tif 000005
【図４】
2010227529.tif 000006
【図５】
2010227529.tif 000007
【図６Ａ】
2010227529.tif 000008
【図６Ｂ】
2010227529.tif 000009
【図７】
2010227529.tif 000010